(57)【要約】      （修正有）【課題】フラットケーブルなどの薄型配線に簡便に取り付けることができ、かつ、フェライト破片の飛散を防止することができ、かつ、優れた磁気特性を確保することができるフェライト装置を提供すること。【解決手段】焼結フェライト主板１１、１２は、互いに向かい合うように配置されている。焼結フェライト側板２１は、焼結フェライト主板１１、１２の一端側において、焼結フェライト主板１１、１２の側面を焼結フェライト側板２１に突き合わせるように配置されている。もう一つの焼結フェライト側板２２についても、焼結フェライト側板２１と同様である。保護シート３は、焼結フェライト主板１１、１２及び焼結フェライト側板２１、２２の全体を取り巻くように配置されている。【選択図】図１
2008010792.tif 000002
【特許請求の範囲】
【請求項１】
２つの焼結フェライト主板と、少なくとも１つの焼結フェライト側板と、保護シートとを含むフェライト装置であって、
前記焼結フェライト主板は、互いに向かい合うように配置されており、
前記焼結フェライト側板は、前記焼結フェライト主板の少なくとも一端側において、前記焼結フェライト主板の側面を前記焼結フェライト側板に突き合わせるように配置されており、
前記保護シートは、前記焼結フェライト主板及び前記焼結フェライト側板の全体を取り巻くように配置されている、
フェライト装置。
【請求項２】
請求項１に記載されたフェライト装置であって、
前記焼結フェライト側板は、前記焼結フェライト主板の両端側にそれぞれ備えられている、
フェライト装置。
【請求項３】
請求項１または２に記載されたフェライト装置であって、
前記焼結フェライト側板において２つの前記焼結フェライト主板の前記側面が突き合わされる面の面積は、２つの前記焼結フェライト主板の前記側面を合わせた面積よりも大きい、
フェライト装置。
【請求項４】
請求項１または２に記載されたフェライト装置であって、
前記焼結フェライト側板において２つの前記焼結フェライト主板の前記側面が突き合わされる側に、２つの凸部が互いに間隔を隔てて設けられている、
フェライト装置。
【請求項５】
請求項１乃至３の何れかに記載されたフェライト装置であって、
前記焼結フェライト主板の前記側面には、凸部または凹部の一方が設けられており、
前記焼結フェライト側板において２つの前記焼結フェライト主板の前記側面が突き合わされる面には、凸部または凹部の他方が設けられている、
フェライト装置。
【発明の詳細な説明】
【技術分野】
【０００１】
本発明は、フラットケーブルなどの薄型配線に装着することにより、ノイズ対策部品として使用することができるフェライト装置に関する。
【背景技術】
【０００２】
フェライト焼結体コアを用いたノイズ対策部品としては、従来より種々のタイプのものが知られているが、そのうちの一つに、２枚の平板状フェライトコアをフラットケーブルに挟み込むように取り付けるタイプのノイズ対策部品が知られている（特許文献１参照）。
【０００３】
このタイプのノイズ対策部品における問題の一つは、フラットケーブルに対する固定作業である。例えば、特許文献１の記載技術では、フラットケーブルに平板状フェライトコアを固定するため、固定用治具で平板状フェライトコアの両端を挟み込む手法が採用されている。このため、固定作業に手間がかかる。
【０００４】
もう一つの問題は、平板状フェライトコアが何らかの衝撃を受け破損したとき、フェライトの破片が周囲に飛散する恐れがあることである。
【０００５】
更にもう一つの問題は、磁気特性の問題である。すなわち、２つの平板状フェライトコアの間には、ケーブルの厚みによってギャップが形成される。このギャップのため、磁気特性が悪化してしまい、必要なノイズ除去効果が得られない場合がある。
【特許文献１】特開平５−２１１４８６号公報
【発明の開示】
【発明が解決しようとする課題】
【０００６】
本発明の課題は、フラットケーブルなどの薄型配線に簡便に取り付けることができ、かつ、フェライト破片の飛散を防止することができ、かつ、優れた磁気特性を確保することができるフェライト装置を提供することである。
【課題を解決するための手段】
【０００７】
上述した課題を解決するため、本発明に係るフェライト装置は、２つの焼結フェライト主板と、少なくとも１つの焼結フェライト側板と、保護シートとを含む。
【０００８】
前記焼結フェライト主板は、互いに向かい合うように配置されている。前記焼結フェライト側板は、前記焼結フェライト主板の少なくとも一端側において、前記焼結フェライト主板の側面を前記焼結フェライト側板に突き合わせるように配置されている。前記保護シートは、前記焼結フェライト主板及び前記焼結フェライト側板の全体を取り巻くように配置されている。
【０００９】
上述した本発明に係るフェライト装置をフラットケーブルなどの薄型配線に取り付けるには、２つの焼結フェライト主板で薄型配線を挟み込めばよい。更に、焼結フェライト主板及び焼結フェライト側板の全体を取り巻くように配置される保護シートによって、焼結フェライト主板を薄型配線に押し付け、固定することができる。よって、フェライト装置を、簡単に薄型配線に取り付けることができる。
【００１０】
更に、フェライト装置が薄型配線に取り付けられた状態で、焼結フェライト主板または焼結フェライト側板が何らかの衝撃を受け破損しても、保護シートによってフェライト破片の飛散を防止することができる。
【００１１】
また、磁気回路的にみて、２つの焼結フェライト主板を焼結フェライト側板によって繋ぐことができるので、磁気特性を向上させることができる。特に、焼結フェライト主板が薄型配線の曲げ、撓み、捻れ等の動きを受け、持ち上がった場合でも、安定した磁気特性を確保することができる。なぜなら、焼結フェライト側板は、焼結フェライト主板の側面を焼結フェライト側板に突き合わせるように配置されているので、焼結フェライト主板が持ち上がっても、焼結フェライト主板及び焼結フェライト側板を繋ぐ磁路を維持できるからである。
【００１２】
同様に、薄型配線の厚みを変更することで焼結フェライト主板が持ち上がった場合でも、安定した磁気特性を確保することができる。
【００１３】
一つの実施態様では、焼結フェライト側板は、焼結フェライト主板の両端側にそれぞれ備えられている。
【００１４】
もう一つの実施態様では、焼結フェライト側板において２つの焼結フェライト主板の側面が突き合わされる面の面積は、２つの焼結フェライト主板の側面を合わせた面積よりも大きい。
【００１５】
更にもう一つの実施態様では、焼結フェライト側板において２つの焼結フェライト主板の側面が突き合わされる側に、２つの凸部が互いに間隔を隔てて設けられている。
【００１６】
更にもう一つの実施態様では、焼結フェライト主板の側面には、凸部または凹部の一方が設けられている。焼結フェライト側板において２つの焼結フェライト主板の側面が突き合わされる面には、凸部または凹部の他方が設けられている。
【発明の効果】
【００１７】
以上述べたように、本発明によれば、フラットケーブルなどの薄型配線に簡便に取り付けることができ、かつ、フェライト破片の飛散を防止することができ、かつ、優れた磁気特性を確保することができるフェライト装置を提供することができる。
【発明を実施するための最良の形態】
【００１８】
図１は、本発明に係るフェライト装置の一実施形態を示す断面図、図２は、図１に示したフェライト装置において保護シートを省略して示す斜視図である。図１及び図２に示されたフェライト装置は、焼結フェライト主板１１、１２と、焼結フェライト側板２１、２２と、保護シート３とを含む。図示のフェライト装置は、フラットケーブル、フレキシブル配線板などの薄型配線６に取り付けた状態として示されている。
【００１９】
焼結フェライト主板１１は、焼結フェライト主板１１の板厚方向（Ｚ方向）で見て長方形状の板となっている。もう一つの焼結フェライト主板１２も、焼結フェライト主板１１と実質上同一の形状となっている。そして、これらの焼結フェライト主板１１、１２が、Ｚ方向に互いに向かい合うように配置されている。
【００２０】
焼結フェライト側板２１は、焼結フェライト側板２１の板厚方向（Ｘ方向）で見て長方形状の板となっている。もう一つの焼結フェライト側板２２も、焼結フェライト側板２１と実質上同一の形状となっている。そして、これらの焼結フェライト側板２１、２２が、焼結フェライト主板１１、１２の、Ｘ方向でみた両端側に配置されている。
【００２１】
図３は、図１及び図２に示したフェライト装置において焼結フェライト主板と焼結フェライト側板との関係を説明するための斜視図である。図３を参照すると、焼結フェライト側板２１は、焼結フェライト主板１１、１２の側面４１、４２を焼結フェライト側板２１の面５１に突き合わせる関係で配置されている。焼結フェライト側板２２と、焼結フェライト主板１１、１２との配置関係についても同様である。
【００２２】
上述した焼結フェライト主板１１、１２及び焼結フェライト側板２１、２２の板厚は、例えば、０．０５ｍｍ〜１．０ｍｍ程度である。このような焼結フェライト主板１１、１２及び焼結フェライト側板２１、２２は、ブロック状のフェライト焼結体を、ダイヤモンドカッター等で薄くスライスすることにより得ることができる。また、フェライト材料の例としては、ＮｉＣｕＺｎ系、ＭｇＣｕＺｎ系、ＭｎＺｎ系などを挙げることができる。
【００２３】
再び図１を参照すると、保護シート３は、焼結フェライト主板１１、１２及び焼結フェライト側板２１、２２の全体を取り巻くように配置されている。より具体的には、保護シート３は、焼結フェライト主板１１、１２及び焼結フェライト側板２１、２２の全体を囲むように巻き付けられている。保護シート３は、電気絶縁性及び伸縮性を備えた材料、例えばポリエステルフィルムから構成することができ、展開した状態では、Ｙ方向の幅を有する細長い長方形状となっている。保護シート３の一面には粘着層３１が設けられている。粘着層３１は、例えば、アクリル系接着剤から構成することができる。
【００２４】
上述したフェライト装置を薄型配線６に取り付けるには、図１及び図２に示すように、焼結フェライト主板１１、１２で薄型配線６を挟み込めばよい。更に、焼結フェライト主板１１、１２及び焼結フェライト側板２１、２２の全体を取り巻くように配置される保護シート３によって、焼結フェライト主板１１、１２を薄型配線６に押し付け、固定することができる。よって、フェライト装置を、簡単に薄型配線６に取り付けることができる。
【００２５】
更に、フェライト装置が薄型配線６に取り付けられた状態で、焼結フェライト主板１１、１２または焼結フェライト側板２１、２２が何らかの衝撃を受け破損しても、保護シート３によってフェライト破片の飛散を防止することができる。
【００２６】
また、磁気回路的にみて、一方の焼結フェライト主板１１から焼結フェライト側板２１を通して他方の焼結フェライト主板１２に至る磁路Ｍ１を形成することができるので、磁気特性を向上させることができる。特に、焼結フェライト主板１１が薄型配線６の曲げ、撓み、捻れ等の動きを受け、焼結フェライト側板２１の側で持ち上がった場合でも、安定した磁気特性を確保することができる。なぜなら、焼結フェライト側板２１は、焼結フェライト主板１１の側面４１を焼結フェライト側板２１に突き合わせるように配置されているので（図３参照）、焼結フェライト主板１１が若干量持ち上がっても磁路Ｍ１を維持できるからである。すなわち、焼結フェライト主板１１を、薄型配線６の動きを受ける可動部分として機能させることができる。
【００２７】
この実施形態の場合、焼結フェライト主板１１、１２の、Ｘ方向でみた両端側に焼結フェライト側板２１を配置するとともに、他端側にも焼結フェライト側板２２を配置してあるので、焼結フェライト主板１１が焼結フェライト側板２１、２２の何れの側で持ち上がった場合でも、安定した磁気特性を確保することができる。すなわち、薄型配線６の動きに対する許容性が高まる。
【００２８】
図３を参照すると、焼結フェライト側板２１において焼結フェライト主板１１の側面４１、４２が突き合わされる面５１の面積は、焼結フェライト主板１１、１２の側面４１、４２を合わせた面積よりも大きくなっている。かかる面積関係によれば、焼結フェライト主板１１、１２の側面４１、４２を、焼結フェライト側板２１の面５１からはみ出ることなく配置することができる。焼結フェライト側板２１の面５１の面積は、焼結フェライト側板２１の辺２１１〜２１４によって定めることができる。同様に、焼結フェライト主板１１の側面４１の面積も、焼結フェライト主板１１の辺１１１〜１１４によって定めることができる。
【００２９】
次に、図１及び図２に示したフェライト装置を得るための方法について説明する。
図４は、図１及び図２に示したフェライト装置を得るために用いられるフェライトシートを示す断面図、図５は、図４に示したフェライトシートの平面図である。図示において、先の図１及び図２に現れた構成部分と同一性ある構成部分には同一の参照符号を付し、重複説明を省略することがある。
【００３０】
図４及び図５に示されたフェライトシートは、保護シート３と、焼結フェライト主板１１、１２と、焼結フェライト側板２１、２２とを含む。保護シート３は、Ｙ方向の幅を有し、Ｘ方向に延びる細長い形状となっている。
【００３１】
保護シート３は、Ｘ方向でみて、主部分３０１と、延長部分３０２とを有する。主部分３０１には、焼結フェライト主板１１、１２及び焼結フェライト側板２１、２２が、Ｘ方向に沿い互いにスリット７１〜７３を隔てて配置され、更に、粘着層３１を介して貼り付けられる。配置順序は、焼結フェライト主板１１、焼結フェライト側板２１、焼結フェライト主板１２及び焼結フェライト側板２２の順である。
【００３２】
延長部分３０２は、主部分３０１の、Ｘ方向でみた一端側に位置する。延長部分３０２、には、焼結フェライト主板及び焼結フェライト側板が配置されない。
【００３３】
図示のフェライトシートを薄型配線に取り付けるには、フェライトシートの保護シート３を、スリット７１〜７３に沿って折り曲げ、焼結フェライト主板１１、１２の間に薄型配線を挟み込む。更に、焼結フェライト側板２１、２２を、焼結フェライト主板１１、１２の側面に突き合わせる。そして、焼結フェライト主板１１、１２及び焼結フェライト側板２１、２２の全体を取り巻くように保護シート３の形状を整える。保護シート３の延長部分３０２は、粘着層３１を介して主部分３０１に貼り付ければよい。これにより、図１及び図２に示したフェライト装置が得られる。
【００３４】
図１及び図２に示したフェライト装置を得るための方法としては、上述した方法のほか、次のような方法もある。まず、保護シートなしで、焼結フェライト主板１１、１２を、薄型配線６を挟んで向かい合うように配置する。更に、焼結フェライト側板２１、２２を、焼結フェライト主板１１、１２の側面に突き合わせるように配置する。そして、焼結フェライト主板１１、１２及び焼結フェライト側板２１、２２の全体を囲むように保護シート３を巻き付ける。
【００３５】
図６は、本発明に係るフェライト装置の別の実施形態を示す斜視図である。図示では、先の図２と同様、保護シートを省略してある。また、図１及び図２に現れた構成部分と同一性ある構成部分には同一の参照符号を付し、重複説明を省略する。
【００３６】
図６に示した実施形態の場合、焼結フェライト側板２１の、焼結フェライト主板１１、１２の側面が突き合わされる側に、凸部８１、８２が設けられている。凸部８１、８２は、焼結フェライト側板２１の、Ｙ方向の全体にわたって延びる細長い形状であり、互いにＺ方向の間隔ｄ１を隔てている。
【００３７】
図示のように、焼結フェライト主板１１、１２を、焼結フェライト側板２１において凸部８１、８２の間隔ｄ１内に突き合わすように配置することにより、焼結フェライト主板１１、１２が薄型配線６の動きを受け、焼結フェライト側板２１から外れるのを防止することができる。
【００３８】
また、凸部８１、８２の間隔ｄ１については、薄型配線６の動きに対する許容性を高める観点から、焼結フェライト主板１１（焼結フェライト主板１２）と、凸部８１（凸部８２）との間で遊び量ｄ２を生じるような値に設定することが好ましい。
【００３９】
もう一つの焼結フェライト側板２２に設けられる凸部８３、８４の形状、位置及び機能などについては、上述した凸部８１、８２と同様であり、重複説明を省略する。
【００４０】
図７は、本発明に係るフェライト装置の別の実施形態を示す斜視図である。図示において、先の図６に現れた構成部分と同一性ある構成部分には同一の参照符号を付し、重複説明を省略することがある。
【００４１】
焼結フェライト側板２１の、焼結フェライト主板１１、１２の側面４１、４２が突き合わされる面５１に、凸部８１、８２が設けられている。まず、凸部８１は、半球状の曲面を有し、面５１から突出する形状となっている。凸部８１は、焼結フェライト側板２１の面５１においてＹ方向でみた中央部に配置され、凸部８１のＹ方向の幅が、焼結フェライト主板１１のＹ方向の幅よりもかなり小さい。
【００４２】
次に、もう一つの凸部８２についても、凸部８１と同様である。凸部８２のＹ方向の幅は、焼結フェライト主板１２のＹ方向の幅よりもかなり小さい。これらの凸部８１、８２は、焼結フェライト側板２１の面５１において互いにＺ方向の間隔ｄ１を隔てて配置されている。
【００４３】
焼結フェライト主板１１、１２を、焼結フェライト側板２１の面５１において凸部８１、８２の間隔ｄ１内に突き合わすように配置することにより、焼結フェライト主板１１、１２が薄型配線６の動きを受け、焼結フェライト側板２１から外れるのを防止することができる。
【００４４】
また、凸部８１について詳しく説明すると、凸部８１は、焼結フェライト側板２１の面５１においてＹ方向でみた中央部に配置され、凸部８１のＹ方向の幅が、焼結フェライト主板１１のＹ方向の幅よりもかなり小さい。かかる凸部８１によれば、焼結フェライト主板１１を、例えば、矢印ａ１またはａ２に示すように動く可動部分として機能させることができる。
【００４５】
この実施形態では、焼結フェライト側板２１に凸部８１、８２を設ける点について代表的に説明したが、もう一つの焼結フェライト側板２２にも、同様な凸部（図示せず）を設けることができる。
【００４６】
図８は、本発明に係るフェライト装置の更に別の実施形態を示す斜視図である。図示において、先の図１及び図２に現れた構成部分と同一性ある構成部分には同一の参照符号を付し、重複説明を省略する。
【００４７】
図８に示した実施形態の場合、焼結フェライト主板１１の側面４１に、凸部９１が設けられている。凸部９１の形状は任意である。図示の場合、凸部９１は、半球状の曲面を有し、側面４１から突出する形状となっている。凸部９１は、焼結フェライト主板１１の、Ｙ方向でみた中央部に配置されることが好ましい。
【００４８】
また、焼結フェライト側板２１において焼結フェライト主板１１、１２の側面が突き合わされる面５１に、凹部８５が設けられている。凹部８５の形状としては、上述した凸部９１に適合するような形状が好ましい。図示の場合、凹部８５は、半球状の曲面を有し、面５１から落ち込んだ形状となっている。
【００４９】
そして、焼結フェライト主板１１及び焼結フェライト側板２１は、焼結フェライト主板１１の側面４１を焼結フェライト側板２１に突き合わせ、かつ、焼結フェライト主板１１の凸部９１を焼結フェライト側板２１の凹部８５に引っ掛ける関係で配置される。凸部９１及び凹部８５によれば、焼結フェライト主板１１を、例えば、矢印ａ１またはａ２に示すように動く可動部分として機能させることができる。
【００５０】
図８に示した実施形態では、焼結フェライト主板１１に凸部９１を設け、焼結フェライト側板２１に凹部８５を設けた構成となっているが、これとは逆に、焼結フェライト側板２１に凸部を設け、焼結フェライト主板１１に凹部を設けた構成でもよい。
【００５１】
また、この実施形態では、焼結フェライト主板１１と焼結フェライト側板２１との関係について代表的に説明したが、焼結フェライト主板１２と焼結フェライト側板２１との関係、焼結フェライト主板１１と焼結フェライト側板２２との関係、及び、焼結フェライト主板１２と焼結フェライト側板２２との関係についても同様である。例えば、焼結フェライト主板１２と焼結フェライト側板２１との関係について述べると、焼結フェライト主板１２の側面４２に凸部（図示せず）を設け、焼結フェライト側板２１の面５１に凹部８６を設けることができる。
【００５２】
図９は、本発明に係るフェライト装置の更に別の実施形態を示す断面図である。図９では、先の図１と同様、フェライト装置は、薄型配線６に取り付けた状態として示されている。また、図１及び図２に現れた構成部分と同一性ある構成部分には同一の参照符号を付し、重複説明を省略する。
【００５３】
図１及び図２に示した実施形態との対比において、図９に示した実施形態では、焼結フェライト主板１１、１２の、Ｘ方向でみた一端側（紙面左側）のみに、焼結フェライト側板２１を配置してある。かかる構成でも、図１及び図２に示した実施形態で説明された基本的な作用効果を得ることができる。例えば、焼結フェライト主板１１が薄型配線６の動きを受け、焼結フェライト側板２１の側で持ち上がった場合でも、焼結フェライト主板１１から焼結フェライト側板２１を通して焼結フェライト主板１２に至る磁路Ｍ１を維持することができる。
【００５４】
なお、各実施形態の間には、任意の組み合わせが存在する。例えば、図９の実施形態において、図６の実施形態のように焼結フェライト側板２１に凸部８１、８２を設ける構成を採用してもよく、または、図８の実施形態のように焼結フェライト主板１１に凸部９１を設け、焼結フェライト側板２１に凹部８５を設ける構成を採用してもよい。
【００５５】
また、以上説明した実施形態では、フェライト装置をフラットケーブルなどの薄型配線に取り付けた例を示したが、このような薄型配線に限定されることはない。任意の断面形状、例えば、円形の断面形状を有するケーブルにも取り付けることができる。
【図面の簡単な説明】
【００５６】
【図１】本発明に係るフェライト装置の一実施形態を示す断面図である。
【図２】図１に示したフェライト装置において保護シートを省略して示す斜視図である。
【図３】図１及び図２に示したフェライト装置において焼結フェライト主板と焼結フェライト側板との関係を説明するための斜視図である。
【図４】図１及び図２に示したフェライト装置を得るために用いられるフェライトシートを示す断面図である。
【図５】図４に示したフェライトシートの平面図である。
【図６】本発明に係るフェライト装置の別の実施形態を示す斜視図である。
【図７】本発明に係るフェライト装置の別の実施形態を示す斜視図である。
【図８】本発明に係るフェライト装置の更に別の実施形態を示す斜視図である。
【図９】本発明に係るフェライト装置の更に別の実施形態を示す断面図である。
【符号の説明】
【００５７】
１１、１２            焼結フェライト主板
２１、２２            焼結フェライト側板
３                    保護シート
【図１】
2008010792.tif 000003
【図２】
2008010792.tif 000004
【図３】
2008010792.tif 000005
【図４】
2008010792.tif 000006
【図５】
2008010792.tif 000007
【図６】
2008010792.tif 000008
【図７】
2008010792.tif 000009
【図８】
2008010792.tif 000010
【図９】
2008010792.tif 000011